(57)【要約】【課題】選別部での選別効率や選別精度の向上を図れるようにする。【解決手段】脱穀処理後の処理物に対して選別処理を施す選別部３と、その選別部３による選別後の２番物を選別部３の選別終端側から選別始端側に放出還元する２番還元機構１９とを備えた脱穀装置の２番還元構造において、２番還元機構１９から放出された２番物に含まれる塵埃を吸引して機外に排出する排塵機構３１を装備してある。【選択図】        図３
2005013106.tif 000002
【特許請求の範囲】
【請求項１】
脱穀処理後の処理物に対して選別処理を施す選別部と、その選別部による選別後の２番物を前記選別部の選別終端側から選別始端側に放出還元する２番還元機構とを備えた脱穀装置の２番還元構造であって、
前記２番還元機構から放出された２番物に含まれる塵埃を吸引して機外に排出する排塵機構を装備してある脱穀装置の２番還元構造。
【請求項２】
前記排塵機構の吸引部を、前記２番還元機構から放出された２番物が通る放出還元経路よりも高い位置に配置してある請求項１に記載の脱穀装置の２番還元構造。
【請求項３】
前記排塵機構の吸引部を、扱胴に沿って敷設した受網に面する位置に配置するとともに、前記吸引部に、前記受網から漏出した穀粒の流入を阻止する遮蔽体を装備してある請求項１又は２に記載の脱穀装置の２番還元構造。
【請求項４】
前記排塵機構を、選別風を生起する唐箕に連動させてある請求項１〜３のいずれか一つに記載の脱穀装置の２番還元構造。
【発明の詳細な説明】
【０００１】
【発明の属する技術分野】
本発明は、脱穀処理後の処理物に対して選別処理を施す選別部と、その選別部による選別後の２番物を前記選別部の選別終端側から選別始端側に放出還元する２番還元機構とを備えた脱穀装置の２番還元構造に関する。
【０００２】
【従来の技術】
従来では、選別部による選別後の、枝梗やワラ屑などの塵埃の含有率が高い２番物を、その含有率の高い状態のままで選別部の選別始端側に還元して再選別するようにしていた。
【０００３】
【特許文献１】
特開２００１−９５３６２号公報（段落番号００１６、図１）
【０００４】
【発明が解決しようとする課題】
選別部は、その選別始端側ほど穀粒含有率の高い処理物が供給されることから、その選別始端側で選別した穀粒を１番物として選別始端側からその下方の１番回収部に漏下させ、その選別始端側から漏下しなかった枝梗付き穀粒や塵埃などの混在物を２番物として選別終端側からその下方の２番回収部に漏下させるように構成されている。
【０００５】
ところが、従来では、塵埃の含有率が高い２番物をそのまま選別部の選別始端側に還元することから、その選別始端側での処理物の穀粒含有率が低下し、それによって、その選別始端側で穀粒を選別して下方の１番回収部に漏下させることが難しくなり、結果、選別効率や選別精度の低下を招くようになる。
【０００６】
本発明の目的は、選別部での選別効率や選別精度の向上を図れるようにすることにある。
【０００７】
【課題を解決するための手段】
上記の課題を解決するための手段として、本発明では、脱穀処理後の処理物に対して選別処理を施す選別部と、その選別部による選別後の２番物を前記選別部の選別終端側から選別始端側に放出還元する２番還元機構とを備えた脱穀装置の２番還元構造において、前記２番還元機構から放出された２番物に含まれる塵埃を吸引して機外に排出する排塵機構を装備してある。
【０００８】
このようにすると、選別部による選別後の２番物を２番還元機構によって選別部の選別始端側に放出還元する際に、２番還元機構から放出された２番物のうちの比重の軽い枝梗やワラ屑などの塵埃を、排塵機構により吸引して機外に排出することができ、これによって、選別部の選別始端側には、塵埃の含有率が低下した２番物を還元できる。
【０００９】
その結果、脱穀処理後の処理物のうちの穀粒含有率の高い処理物が供給される選別部の選別始端側に、塵埃の含有率が高い２番物を還元することに起因した選別始端側での穀粒含有率の低下を回避でき、これによって、その選別始端側からその下方に位置する１番回収部への穀粒の漏下を促進させることができ、もって、選別部での選別効率や選別精度の向上を図れる。
【００１０】
本発明をより好適なものにするための手段のうちの一つでは、前記排塵機構の吸引部を、前記２番還元機構から放出された２番物が通る放出還元経路よりも高い位置に配置してある。
【００１１】
このようにすると、２番還元機構から放出される２番物のうち、比重の軽い塵埃は、２番還元機構から放出された際に放出還元経路から舞い上がり、排塵機構の吸引部によって吸引される。一方、比重の重い穀粒は、放出還元経路から舞い上がることがなく徐々に下降することから、排塵機構の吸引部によって吸引されることはない。
【００１２】
つまり、排塵機構による２番物からの塵埃の除去を効果的に行えるとともに、排塵機構によって２番物中の穀粒が機外に排出される穀粒ロスの発生を回避でき、結果、選別部での選別効率や選別精度の向上を更に図れる上に穀粒回収効率の向上を図れる。
【００１３】
本発明をより好適なものにするための手段のうちの一つでは、前記排塵機構の吸引部を、扱胴に沿って敷設した受網に面する位置に配置するとともに、前記吸引部に、前記受網から漏出した穀粒の流入を阻止する遮蔽体を装備してある。
【００１４】
このようにすると、受網から漏出する処理物のうちの比重の軽い塵埃のみが排塵機構によって吸引されて機外に排出され、受網から漏出する穀粒は、遮蔽体によって排塵機構による吸引排出が阻止される。
【００１５】
つまり、排塵機構による受網から漏出する処理物からの塵埃の除去をも行えるようにしながら、その処理物中の穀粒が排塵機構によって機外に排出される穀粒ロスの発生を回避でき、結果、選別部での選別効率や選別精度の向上を更に図れる上に穀粒回収効率の向上を図れる。
【００１６】
本発明をより好適なものにするための手段のうちの一つでは、前記排塵機構を、選別風を生起する唐箕に連動させてある。
【００１７】
このようにすると、エンジンから排塵機構にわたる専用の伝動系を備える場合に比較して伝動構造の簡素化を図れる。
【００１８】
【発明の実施の形態】
図１にはコンバインに搭載される脱穀装置の縦断側面が、図２にはその一部縦断正面が示されており、この脱穀装置は、その左側部に配備されたフィードチェーン１により横向き姿勢で挾持搬送される刈取穀稈の穂先側に対して脱穀処理を施す脱穀部２、脱穀部２からの脱穀処理後の処理物に対して選別処理を施す選別部３、及び、選別部３にて選別された処理物のうちの１番物と２番物とを回収する回収部４、などによって構成されている。
【００１９】
脱穀部２は、前後向きの軸心周りに回転駆動される扱胴５、扱胴５の下部に沿って敷設された受網６、及び、受網６の後方に形成された送塵口７、などによって構成され、扱胴５と受網６との間でフィードチェーン１によって挾持搬送される刈取穀稈から穀粒を分離して単粒化し、その単粒化した穀粒とともに枝梗付きの穀粒や塵埃などを受網６から選別部３に向けて漏下させるとともに、受網６から漏下しなかった枝梗付きの穀粒や塵埃などを送塵口７から選別部３に放出する。
【００２０】
選別部３は、受網６の下方に装備された揺動選別機構８、揺動選別機構８の前下方に配設された唐箕９、揺動選別機構８と唐箕９の間に配備された第１副唐箕１０、及び、揺動選別機構８の前後中間下方に配備された第２副唐箕１１、などによって構成され、揺動選別機構８が、その後部に配設された偏心式駆動機構１２の作動で揺動駆動されることで脱穀部２からの処理物に対して篩い選別を施し、唐箕９及び各副唐箕１０，１１が揺動選別機構８に向けて選別風を供給することで、揺動選別機構８にて篩い選別される処理物に対して風力選別を付加する。そして、これらの選別作動によって、脱穀部２からの処理物を、１番物としての穀粒と、２番物としての枝梗付き穀粒と塵埃との混在物と、３番物としての枝梗やワラ屑などの塵埃とに選別する。
【００２１】
尚、図１に示す符号１３は、送塵口７から選別部３に放出された枝梗付き穀粒などにほぐし作用を付与する拡散胴であり、符号１４は、塵埃を吸引して機外に排出する排塵ファンである。
【００２２】
回収部４は、揺動選別機構８の選別始端側である前部側の下方に配備された１番回収部１５や、揺動選別機構８の選別終端側である後部側の下方に配備された２番回収部１６、などによって構成され、１番回収部１５は、選別部３で選別処理された処理物のうちの穀粒（１番物）を回収し、その回収した穀粒を、その底部に左右向きに配備された１番スクリュー１７によって、その右端に接続された図外の揚送コンベヤに向けて搬送する。２番回収部１６は、選別部３で選別処理された処理物のうちの混在物（２番物）を回収するとともに、その回収した混在物を、その底部に左右向きに配備された２番スクリュー１８によって、その右端に接続された２番還元機構１９に向けて搬送する。
【００２３】
ちなみに、揚送コンベヤは、１番スクリュー１７で搬送された穀粒（１番物）を揚送して、脱穀装置の右側方に並設された図外の穀粒タンクに供給し、２番還元機構１９は、２番スクリュー１４で搬送された混在物（２番物）を揚送して揺動選別機構８の選別終端側から選別始端側に還元する。
【００２４】
揺動選別機構８は、受網６の前半部から漏下した処理物を受け止めて比重差選別しながら後方に向けて移送する第１グレンパン２０、第１グレンパン２０で移送された処理物や受網６の後半部から漏下した処理物などの中から穀粒などを粗選別して漏下させるとともに残りの処理物を後方に向けて移送するチャフシーブ２１、送塵口７から排出された処理物を受け止めて比重差選別しながら後方に向けて移送する補助グレンパン２２、補助グレンパン２２で移送された処理物の中から枝梗付き穀粒などを篩い選別して漏下させるとともに残りの処理物を後方に向けて移送する複数の篩線２３、チャフシーブ２１で移送された処理物などの中から枝梗付き穀粒などを篩い選別して２番回収部１６に漏下させるとともに残りの処理物を後方に向けて移送して揺動選別機構８の後方に形成した排塵口２４から機外に排出するストローラック２５、チャフシーブ２１の前部側から漏下した処理物を受け止めて比重差選別しながら後方に向けて移送する第２グレンパン２６、及び、第２グレンパン２６で移送された処理物とチャフシーブ２１の後部側から漏下した処理物との中から穀粒を精選別して漏下させるとともに残りの処理物を後方に向けて移送するグレンシーブ２７、などによって構成されている。
【００２５】
図１、図３及び図４に示すように、２番還元機構１９は、２番スクリュー１４で搬送された２番物に対して枝梗付き穀粒から枝梗を取り除くなどの単粒化処理を施す単粒化処理部２８や、その単粒化処理部２８による単粒化処理後の２番物を揚送して選別部３の選別始端側である揺動選別機構８の第１グレンパン２０に向けて放出する搬送放出部２９、などから構成されている。
【００２６】
図１〜５に示すように、脱穀装置の右側壁３０には、２番還元機構１９から放出された２番物に含まれる塵埃を吸引して機外に排出する排塵機構３１が装備され、この排塵機構３１は、２番還元機構１９から放出された２番物が通る放出還元経路３２よりも高い位置で、かつ、受網６に面する位置に配置された吸引部３３や、吸引部３３で吸引した塵埃を機体の後下部に流下案内する排塵ダクト３４などから構成されている。
【００２７】
吸引部３３には、右側壁３０に形成された開口３５から塵埃を吸引する吸引ファン３６や、受網６から漏出した穀粒の流入を阻止する遮蔽体３７が装備され、吸引ファン３６は、ベルト式の伝動機構３８を介して唐箕９に連動連結され、遮蔽体３７は、開口３５よりも大径の桶形に形成され、その周端と右側壁３０との間に吸引用の隙間３９を有する状態で右側壁３０に取り付けられている。
【００２８】
以上の構成から、唐箕９などが駆動される脱穀選別作業時には排塵機構３１も駆動され、これによって、２番還元機構１９から放出される２番物のうちの放出還元経路３２から舞い上がる比重の軽い塵埃が、排塵機構３１によって吸引されて機体の後下部から上方への飛散が抑制された状態で排出され、塵埃の含有率が低下した２番物が揺動選別機構８の第１グレンパン２０に還元される。
【００２９】
その結果、脱穀処理後の処理物のうちの穀粒含有率の高い処理物が供給される揺動選別機構８の第１グレンパン２０に、塵埃の含有率が高い２番物を還元することに起因した、第１グレンパン２０で比重差選別される処理物における穀粒含有率の低下を回避できる。
【００３０】
又、排塵機構３１を上記のように配備したことで、排塵機構３１は、２番還元機構１９によって還元される２番物中の塵埃だけでなく、唐箕９や第１副唐箕１０などからの選別風で舞い上がる塵埃や、受網６から漏出する処理物中の塵埃をも吸引して機体の後下部から排出するようになり、これによって、排塵ファン１４だけで塵埃を吸引排出する場合に比較して塵埃の除去を効果的に行える。
【００３１】
更に、排塵機構３１の配置設定や遮蔽体３７の装備によって、２番還元機構１９で還元される２番物や受網６から漏出する処理物に含まれる穀粒の排塵機構３１による吸引や排塵機構３１への流入が阻止されることから、排塵機構３１によって穀粒が機外に排出される穀粒ロスの発生を回避できる。
【００３２】
つまり、選別部３での選別効率、選別精度、及び穀粒回収効率の向上を図れる。
【００３３】
尚、図６に示すように、２番還元機構１９における搬送放出部２９の放出端に、図３及び図４に示す放てき板４０に代えて、搬送放出部２９の揚送スクリュー４１で揚送された２番物に対して枝梗付き穀粒から枝梗を取り除くなどの単粒化処理を施し、かつ、その処理後の２番物を揺動選別機構８の第１グレンパン２０に向けて放出するように構成された単粒放出部４２を装備すれば、揺動選別機構８の第１グレンパン２０上に還元する２番物の単粒化が更に促進されるとともに、排塵機構３１による２番還元機構１９から放出された２番物からの塵埃除去をより効果的に行えるようになり、結果、選別部３での選別効率、選別精度、及び穀粒回収効率の向上を更に図ることができる。
【００３４】
又、図７に示すように、唐箕９の駆動速度が処理物量に応じて変速されるように構成すれば、唐箕９からの選別風を処理物量に応じた好適な風力に調節できて、処理物量に応じた好適な風選別を行える上に、唐箕９に連動する排塵機構３１の駆動速度も処理物量に応じた速度に変速できて、排塵機構３１による塵埃の吸引排出を処理物量に応じた好適な吸引力で良好に行えるようになり、結果、選別部３での選別効率、選別精度、及び穀粒回収効率の向上を更に図ることができる。
【００３５】
尚、図７に示す符号４３は、唐箕９の変速を可能にする割りプーリであり、符号４４は、その割りプーリ４３の間隔を変更するカム機構であり、符号４５は、カム機構を操作する電動モータであり、符号４６は、揺動選別機構８のチャフシーブ２１上に堆積する処理物量を検出するセンサであり、符号４７は、そのセンサ４６からの検出に基づいて電動モータ４５の作動を制御する制御装置であり、符号４８は、図外の走行機体に搭載されたエンジンであり、符号４９は、エンジン４８からの動力を扱胴５や唐箕９などに伝達する脱穀伝動系である。
【図面の簡単な説明】
【図１】脱穀装置の縦断側面図
【図２】脱穀装置の一部縦断正面図
【図３】２番還元構造の構成を示す要部の縦断側面図
【図４】２番還元構造の構成を示す要部の横断平面図
【図５】排塵機構の構成を示す要部の縦断正面図
【図６】２番還元機構の搬送放出部に単粒放出部を装備した構成を示す脱穀装置の一部縦断正面図
【図７】唐箕及び排塵機構を変速可能にした構成を示す概略図
【符号の説明】
３    選別部
５    扱胴
６    受網
９    唐箕
１９  ２番還元機構
３１  排塵機構
３２  放出還元経路
３３  吸引部
３７  遮蔽体
【図１】
2005013106.tif 000003
【図２】
2005013106.tif 000004
【図３】
2005013106.tif 000005
【図４】
2005013106.tif 000006
【図５】
2005013106.tif 000007
【図６】
2005013106.tif 000008
【図７】
2005013106.tif 000009